(57)【要約】【課題】補強基盤を永久接着する困難な工程を不要とし、安価に製造できる高密度情報記録が可能な光ディスクを提供する。【解決手段】母材３の情報記録面にピットと称する小さな窪み４を形成し、その上に反射膜５を付着させ、かつ反射膜５を保護するための保護膜材１２を塗布して単体で取り扱えるようにした情報基盤１０と、これに着脱可能な補強盤１１とからなる。補強盤１１は、金属製の強固な部材等からなる母材１３の一面側に、その中心穴１４の近傍及び最外周縁部を除いて粘着性塗料１５をドーナツ状かつ層状に塗布して構成する。情報基盤１０を記録再生機器あるいは再生専用機器により使用するきは、粘着性塗料１５を利用して補強盤１１を記録あるいは再生したい情報基盤１０に一時的に重ね合わせて機器に挿入する。【選択図】        図１
2004164781.tif 000002
【特許請求の範囲】
【請求項１】
透明基盤を通して情報基盤に情報を記録しあるいは情報基盤に記録されている情報を読み取り可能であって、上記情報基盤の機械的強度を上げるための補強盤を含む光ディスクにおいて、該補強盤が、上記情報基盤に対して繰り返し着脱可能な粘着性塗料層を上記情報基盤側の面に有することを特徴とする光ディスク。
【請求項２】
請求項１の光ディスクにおいて、上記補強盤が、上記情報基盤の外径寸法に合致する外径を有するとともに、上記情報基盤の中心穴より若干大径の中心穴を備えることを特徴とする光ディスク。
【請求項３】
請求項１または２の光ディスクにおいて、上記補強盤の外周縁に取り外し用の切り欠きを一以上形成してなることを特徴とする光ディスク。
【請求項４】
請求項１の光ディスクにおいて、上記補助盤を予め複数備えることとし、各補助盤にそれぞれ異なる情報を記憶させることを特徴とする光ディスク。
【発明の詳細な説明】
【０００１】
【発明の属する技術分野】
本発明は、光ディスクに関し、特にその構造を改良したものに関する。
【０００２】
【従来の技術】
透明な基盤に記録するデータに応じて所定のフォーマットでくぼみを設け、基盤を通してくぼみが記録された面に焦点を合わせたレーザーによってデータを読み、あるいは記録する光ディスクであって、基盤を回転させつつデータの読み出し、記録を行う光ディスク、例えばＤＶＤディスクのような高記録密度可能なものにおいては、記録、再生ピックアップの光学的構造から、基盤を薄くする必要がある。このような高密度再生、記録光ディスクは、情報基盤のみでは重力によって基盤がたわみ、光ピックアップに対する光学的にデータを読み取る機械的な位置関係を保つことができない。そこで従来、情報基盤に補強盤を接着して強度を補強している。
【０００３】
図１は上述のような従来のＤＶＤディスクの構造を示す断面図、図２はその拡大断面図である。このＤＶＤディスクは、情報が記録された面をもつ厚さがほぼ０．６ｍｍの情報基盤１と、ダミー基盤と称する透明な補強盤２からなる。補強盤２は、記録再生機で情報基盤１を回転させる場合に情報基盤１のたわみを少なくするためのもので、接着等で情報基盤１に固定する。
【０００４】
図２に示すように、情報基盤１を構成する母材３の情報記録面にはピットと称する小さな窪み４が形成してあり、その上に反射膜５を付着させ、層状の接着剤６を介して母材３の情報記録面側に補強盤２が接着してある。このような光ディスクの厚さはほぼ１．２ｍｍである。図中７は中心穴を示す。
【０００５】
【発明が解決しようとする課題】
このような従来のＤＶＤディスク等の光ディスクは、補強盤２を接着する際に、情報基盤１に永久反りが生じても、その反りの値が許容された範囲に入るように接着しなければならない。そのため、厳重なプロセス管理の下に生産されている。
【０００６】
したがって、情報基盤１と同等な精度を持った補強盤２を用意しなければならず、その材料費によってコスト高になるのみならず、技術的困難が伴う接着工程を必要とすることによってもコストが押し上げられている。
【０００７】
本発明は上記従来の問題点にかんがみてなしたもので、透明基盤を通して情報を読み取る光ディスクにおいて、高密度記録の記録再生のため情報基盤を薄くすることによって機械強度が低くなることを補うため、精度良くかつ接着後の反りを小さくするように補強基盤を永久接着する困難な工程を不要とし、安価に製造できる高密度情報記録が可能な光ディスクを提供することを目的とする。
【０００８】
【課題を解決するための手段】
本発明の請求項１に係る光ディスクは、上記目的を達成するために、透明基盤を通して情報基盤に情報を記録しあるいは情報基盤に記録されている情報を読み取り可能であって、上記情報基盤の機械的強度を上げるための補強盤を含む光ディスクにおいて、該補強盤が、上記情報基盤に対して繰り返し着脱可能な粘着性塗料層を上記情報基盤側の面に有することを特徴とする。
【０００９】
同請求項２に係るものは、上記目的を達成するために、請求項１の光ディスクにおいて、上記補強盤が、上記情報基盤の外径寸法に合致する外径を有するとともに、上記情報基盤の中心穴より若干大径の中心穴を備えることを特徴とする。
【００１０】
同請求項３に係るものは、上記目的を達成するために、請求項１または２の光ディスクにおいて、上記補強盤の外周縁に取り外し用の切り欠きを一以上形成してなることを特徴とする。
【００１１】
同請求項４に係るものは、請求項１の光ディスクにおいて、上記補助盤を予め複数備えることとし、各補助盤にそれぞれ異なる情報を記憶させることを特徴とする。
【００１２】
【発明の実施の形態】
以下本発明の実施の形態を図面を参照して説明する。なお以下では従来と共通する部分には共通する符号を付して説明する。
図３は本発明に係る光ディスクの一実施形態の断面図（Ａ）と、情報基盤の拡大断面図（Ｂ）である。図示の実施形態の光ディスクは、図１に示すＤＶＤディスクの情報基盤１と同様な工程を経て形成した情報基盤１０と、これに着脱可能な補強盤１１とからなる。
【００１３】
情報基盤１０は、図３（Ｂ）に示すように、図１に示すＤＶＤディスクの情報基盤１と同様な断面構造及び厚さ（ほぼ０．６ｍｍ）を有するが、単体で取り扱えるようにするため、反射膜５を保護するための保護膜材１２を塗布してある。この情報基盤１０の製造は、薄い基盤材に情報を転写し、その後情報が転写された面に反射膜５を付け、さらに反射膜５を保護する保護膜材１２を付ける。使用者の便宜のための表示印刷をさらに施すことも考えられる。このような単板ディスクは従来の補強盤を貼り合せる構造のディスクに比べて、成形から保護膜工程まで一貫した生産ラインで容易に製造できる。
【００１４】
一方、補強盤１１は、金属製の強固な部材等からなる母材１３の一面側に、その中心穴１４の近傍及び最外周縁部を除いて粘着性塗料１５をドーナツ状かつ層状に塗布し、粘着性塗料１５と母材１３の総合厚さがほぼ０．６ｍｍとなるように構成してある。したがって、情報基盤１０と補強盤１１を合わせた厚さは、従来の光ディスクの厚さは同様にほぼ１．２ｍｍとなる。なお補強盤１１には、情報基盤１０の母材３とほぼ同様な比重を持ち、金属等の機械的強度に優れた材料を用いることが好ましい。例えば、比重の軽い金属をプレスで打ち抜き、粘着性塗料を塗布するのみできわめて容易にしかも安価に製造できる。
【００１５】
使用者が、このような構造を持つ情報基盤１０を記録再生機器あるいは再生専用機器により使用するきは、粘着性塗料１５を利用して補強盤１１を記録あるいは再生したい情報基盤１０に一時的に重ね合わせて機器に挿入する。その際、情報基盤１０と補強盤１１の重ね合わせ位置精度が低く、一時的貼り合わせにおける中心ずれが予想されるため、それでも問題が生じないように、補強盤１１の中心穴１４は情報基盤１０の中心穴１３よりも十分大きくして余裕を持たせてある。そのため、複数の異なる情報基盤１０を記録あるいは再生しようとするときでも、補強盤１１の貼り合わせ位置を精密に位置決めする必要はなく、補強盤１１を共通で使用できる。
【００１６】
図４は、本実施形態の情報基盤１０に補強盤１１を貼り合わせた状態の断面図（Ａ）と拡大断面図（Ｂ）である。図示のように、使用状態においては、情報基盤１０に対して補強盤１１を粘着性塗料１５によって一時的に固定する。補強盤１１に金属製の強固な素材を使用することで、情報基盤１０の潜在的な反りを使用状態で矯正することになり、したがって、情報基盤１０のプロセス管理はＤＶＤディスクのような厳密な管理は必要とせず、貼り合せ工程も不要である。もちろん情報基盤１０には上述のように保護膜を施さねばならないが、ＣＤと同じ構造のため、きわめて容易に製造できる。
【００１７】
図５は本発明に係る光ディスクの他の実施形態の分解断面図（Ａ）と、貼り合わせ状態の断面図（Ｂ）である。本実施形態は、情報基盤１０の中心穴７の周囲にボス部１６を形成し、記録再生機器あるいは再生専用機器でディスクを保持する際に、情報基盤１０の中央部に位置するボス部１６で必要な保持精度を得られるようにしている。その他の構成については先の実施形態と同様である。
【００１８】
図６は本発明に係る光ディスクのさらに他の実施形態に用いる補強盤の底面図である。本実施形態は、補強盤１１が、外形は機能面から考慮すれば情報基盤１０と同一の直径をもつことが必要であるが、一時的接着や使用後の剥がしを容易にできるようにすることが必要である点を考慮し、図示のように外縁部に切り欠き１７を複数設けたものである。もちろん切り欠き１７の個数は１個でも、あるいは図示の例よりも多くても良い。
【００１９】
【発明の効果】
本発明に係る光ディスクは、以上説明してきたようなものなので、補強盤を情報基盤に永久接着することなく安価かつ簡単に製造でき、情報基盤に成形時の反りが残留していても記録、再生に支障がないという効果がある。
【図面の簡単な説明】
【図１】従来公知のＤＶＤディスクの構造を示す断面図である。
【図２】同拡大断面図である。
【図３】本発明に係る光ディスクの一実施形態の断面図（Ａ）と、情報基盤の拡大断面図（Ｂ）である。
【図４】図３の実施形態の情報基盤に補強盤を貼り合わせた状態の断面図（Ａ）と拡大断面図（Ｂ）である。
【図５】本発明に係る光ディスクの他の実施形態の分解断面図（Ａ）と、貼り合わせ状態の断面図（Ｂ）である。
【図６】本発明に係る光ディスクのさらに他の実施形態に用いる補強盤の底面図である。
【符号の説明】
情報基盤１０と、これに着脱可能な補強盤１１とからなる。
【００１９】
４  窪み（ピット）
５  反射膜
７  中心穴
１０  情報基盤
１１  補強盤
１２  保護膜材
１３  母材
１４  中心穴
１５  粘着性塗料
１６  ボス部
１７  切り欠き
【図１】
2004164781.tif 000003
【図２】
2004164781.tif 000004
【図３】
2004164781.tif 000005
【図４】
2004164781.tif 000006
【図５】
2004164781.tif 000007
【図６】
2004164781.tif 000008